(57)【要約】【課題】棚板に載置された物品の振動による滑り出しによる落下を防止する使い勝手のよい落下防止具を提供すること及び１本の支柱の左右方向に複数の棚板が取り付けられている状態での取り付けが可能な落下防止装置を提供する。【解決手段】本発明の落下防止装置は、荷物置台の棚に積載された荷物の滑り出しによる落下を防止する落下防止装置であって、前記棚に平行に張られる支柱間ベルトと、該支柱間ベルトを保持する支柱間ベルト保持部と、該支柱間ベルトの長さを調整して前記支柱間ベルトへ所定の張力を加える張力調整部と、を備え、前記支柱間ベルト保持部が、前記支柱に巻き付けられ前記支柱間ベルトを保持するベルト接続部を備えた取付ベルトによるベルト式の支柱間ベルト保持部又は前記支柱に固定される板状の部材からなる板状の支柱間ベルト保持部であり、前記支柱間ベルトの面が略鉛直になるように保持し、前記張力調整部が前記支柱間ベルトの長さを調整して前記支柱間ベルトへ所定の張力を加える。【選択図】図１
2019189432.tif 000002
【特許請求の範囲】
【請求項１】
棚とそれを支える支柱を有する荷物置台の前記棚に積載された荷物の滑り出しによる落下を防止する落下防止装置であって、
前記棚に平行に前記支柱の間へ張られる支柱間ベルトと、該支柱間ベルトを保持するベルト保持部と、該支柱間ベルトの長さを調整して前記支柱間ベルトへ所定の張力を加える張力調整部と、を備え、
前記ベルト保持部が、前記支柱に巻き付けられた取付ベルトによるベルト式のベルト保持部又は前記支柱に固定される板状の部材からなる板状のベルト保持部であって、
前記張力調整部が前記支柱間ベルトの長さを調整して前記支柱間ベルトへ所定の張力を加えることを特徴とする落下防止装置。
【請求項２】
前記ベルト保持部が前記支柱間ベルトの面が略鉛直になるように前記支柱間ベルトを保持するベルト接続部を有し、
前記支柱へ固定される際に使われる取付ベルトに張力調整部が備えられていることを特徴とする請求項１に記載の落下防止装置。
【請求項３】
前記支柱間ベルトが前記ベルト保持部で折り返されて前面支柱間ベルト及び後面支柱間ベルトの２重に前記支柱間ベルトが張られ、前記張力調整部が前記後面支柱間ベルトに取り付けられることを特徴とする請求項１又は２に記載の落下防止装置。
【請求項４】
前記張力調整部が前記ベルト保持部と前記支柱間ベルトの間に接続されることを特徴とする請求項１又は２に記載の落下防止装置。
【請求項５】
前記支柱間ベルトが前記荷物置台の周囲を囲むように張られ、前記張力調整部が前記荷物置台の前面以外の面に張られた前記支柱間ベルトに取り付けられることを特徴とする請求項１又は２に記載の落下防止装置。
【請求項６】
前記板状のベルト保持部が、前記支柱の前面に取り付けられ水平方向に張られた水平の支柱間ベルトを鉛直方向へ角度変換して鉛直方向の支柱間ベルトとし、前記張力調整部が該鉛直方向の支柱間ベルトに取り付けられることを特徴とする求項１又は２に記載の落下防止装置。
【請求項７】
前記張力調整部が、ＤＣバックル、ラチェットギヤ、ラチェットバックル、弾性体、ターンバックルの何れかであることを特徴とする請求項１乃至６何れかに記載の落下防止装置。
【請求項８】
前記ベルト保持部が水平方向へ延伸する回動軸を挟んで通常時は上方に位置する第１部材と下方に位置する前記第１部材よりも重い第２部材を備え、前記棚へ前記荷物を積載する際に前記第１部材が後方へ押されて略水平になることを特徴とする請求項１乃至７何れかに記載の落下防止装置。
【請求項９】
前記第２部材が前記棚に当たって所定の角度を超える回動を防止することを特徴とする請求項８に記載の落下防止装置。
【発明の詳細な説明】
【技術分野】
【０００１】
本発明は、地震等により工場や倉庫に設置された荷物置台が振動しても、これらの荷物置台の棚に載置されたパレットや荷物の滑り出しによる落下を防止する落下防止装置に関する。
【背景技術】
【０００２】
従来、地震や意図しない何らかの荷物の衝突等における振動、揺れ又は傾きで荷物置台の棚に載置された荷物の落下や飛び出しを防止する装置が種々提案されている。
【０００３】
たとえば、特許文献１に記載された荷物落下防止装置は略鉛直に起立させた落下防止板の動きを支柱に取り付けられた取付ブラケットのガイド溝で制御するものである。
【０００４】
また、特許文献２に開示される荷物の滑り出しを防ぐ落下防止装置は、ベルトとベルトの両端部に設けられる支柱への取り付け部とを備え、該取り付け部は支柱の側面に当接するＬ字型の取り付け本体と、支柱の一部に係合する係合突起と、取り付け本体をベルトの長手方向に伸縮可能な伸縮手段と、を有している。
【０００５】
そしてこの落下防止装置は、当該伸縮手段が、取り付け本体に対してベルトの長さを長くする方向に移動可能なスライド片と、スライド片をベルト側に付勢するバネとを備えており、ベルトの長手方向に引っ張り力がかかったときに、スライド片が、バネの付勢力に抗して、ベルトの長さを長くする方向に移動可能な構成となっている。
【先行技術文献】
【特許文献】
【０００６】
【特許文献１】特開２００３−１５９１３６号公報
【特許文献２】特許第４１２８５６３号公報
【発明の概要】
【発明が解決しようとする課題】
【０００７】
しかしながら、特許文献１に開示される荷物落下防止装置は、構造が複雑で取付けの手間もかかるという問題があった。
【０００８】
また、特許文献２に開示される荷物の滑り出しを防ぐ落下防止装置は、その構造上、支柱の前面と側面を使用しなければならないため、支柱の形状によってはその取り付けができなくなる課題や、複数の荷物載置台が横方向に連続して並んでいる棚では取り付けが困難となる課題があった。
【０００９】
そして、特許文献２に開示される落下防止装置は、取り付け後に荷物を出し入れする際に、荷物の前面に張設されているベルトをバックルで長くしたり、両手を用いて取り付け部のスライド片をベルトの長手方向にスライドさせたりしなければならず、荷物載置台の使い勝手が悪くなる課題があった。
【００１０】
この発明の目的は、上述した事情に鑑みて棚に載置された荷物の振動による滑り出しによる落下を防止する使い勝手のよい落下防止装置を提供することである。
【００１１】
また、この発明の別の目的は、１本の支柱の左右方向に複数の棚が取り付けられている状態での取り付けが可能な落下防止装置を提供することである。
【課題を解決するための手段】
【００１２】
本発明の落下防止装置は、荷物置台の棚に積載された荷物の滑り出しによる落下を防止する落下防止装置であって、前記棚に平行に張られる支柱間ベルトと、該支柱間ベルトを保持するベルト保持部と、該支柱間ベルトの長さを調整して前記支柱間ベルトへ所定の張力を加える張力調整部と、を備え、前記ベルト保持部が、前記支柱に巻き付けられた取付ベルトによるベルト式のベルト保持部又は前記支柱に固定される板状の部材からなる板状のベルト保持部であって、前記張力調整部が前記支柱間ベルトの長さを調整して前記支柱間ベルトへ所定の張力を加えることを特徴とする。
【００１３】
ベルト保持部が取付ベルト式のベルト保持部又は支柱の前面に取り付けられる平面板状のベルト保持部なので構成が簡単で組み立ても容易である。方向へ棚が複数列有る荷物置台でも容易に落下防止装置を取り付けることができる。
【００１４】
本発明の落下防止装置は、ベルト保持部が前記支柱間ベルトの面が略鉛直になるように前記支柱間ベルトを保持するベルト接続部を有し、前記支柱へ固定される際に使われる取付ベルトに張力調整部が備えられていることを特徴とする。
【００１５】
ベルト保持部が前記支柱間ベルトの面が略鉛直になるように前記支柱間ベルトを保持するベルト接続部を有し、前記支柱へ固定される際に使われる取付ベルトに張力調整部が備えられているので支柱間ベルトとベルトの面が略鉛直になるように保持され、取付ベルトの張力調整部によってしっかりとベルト保持部を支柱へ固定することができる。
【００１６】
本発明の落下防止装置は、支柱間ベルトがベルト保持部で折り返されて前面支柱間ベルト及び後面支柱間ベルトの２重に前記支柱間ベルトが張られ、張力調整部が前記後面支柱間ベルトに取り付けられることを特徴とする。
【００１７】
荷物の出し入れに使うフォークリフトの爪（フォーク）やパレットが張力調整部に直接当たると故障の原因となるが、支柱間ベルトが前面ベルト及び後面ベルトの２重に前記ベルトが張られ、張力調整部が前記後面ベルトに取り付けられると前面ベルトで張力調整部が保護されるのでフォークリフトの爪（フォーク）やパレットが当たることによる故障の確立が減る。
【００１８】
本発明の落下防止装置は、張力調整部が前記ベルト保持部と前記支柱間ベルトの間に接続されることを特徴とする。
【００１９】
張力調整部が前記ベルト保持部と前記支柱間ベルトの間に接続されるので支柱から離れた位置での荷物の出し入れの際にパレットなどが当たる確率が下がる。
【００２０】
本発明の落下防止装置は、ベルトが荷物置台の周囲を囲むように張られ、張力調整部が前記荷物置台の前面以外の面に張られたベルトに取り付けられることを特徴とする。
【００２１】
荷物置台の周囲を囲むように張られ、張力調整部が前記荷物置台の前面以外の面に張られたベルトに取り付けられるので、背面への荷物の滑り出しの防止と前面からの荷物の出し入れに張力調整部が邪魔をすることが無い。
【００２２】
本発明の落下防止装置は、板状のベルト保持部が、前記支柱の前面に取り付けられ水平方向に張られた水平の支柱間ベルトを鉛直方向へ角度変換して鉛直方向の支柱間ベルトとし、前記張力調整部が該鉛直方向の支柱間ベルトに取り付けられることを特徴とする。
【００２３】
ベルト保持部が、支柱の前面に取り付けられ水平方向に張られた水平ベルトを鉛直方向へ角度変換して鉛直ベルトとし、張力調整部が該鉛直ベルトに取り付けられるので、張力調整部の扱いが容易になるとともに荷物出し入れの際にパレットが張力調整部へ当たることが無くなる。
【００２４】
本発明の落下防止装置は、張力調整部が、ＤＣバックル、ラチェットギヤ、ラチェットバックル、弾性体、ターンバックルの何れかであることを特徴とする。
【００２５】
ＤＣバックル、ラチェットギヤ、ラチェットバックル、弾性体、ターンバックルなど様々な部材が張力調整部として使える。
【００２６】
本発明の落下防止装置は、ベルト保持部が水平方向へ延伸する回動軸を挟んで通常時は上方に位置する第１部材と下方に位置する第１部材よりも重い第２部材を備え備え、前記棚へ前記荷物を積載する際に前記第１部材が後方へ押されて略水平になることを特徴とする。
【００２７】
第１部材の重量が第２部材の重量よりも小さいので落下防止装置が棚へ取り付けられた状態で第２部材が下方へ位置することで第１部材が棚の上面に載置された荷物の滑り出しを防止する。そして棚へ前記荷物を積載する際に前記第１部材が後方へ押されて略水平になるので荷物の出し入れが容易に行える。
【００２８】
本発明の落下防止装置は、第２部材が前記棚に当たって所定の角度を超える回動を防止することを特徴とする。
【００２９】
棚に積載された荷物が滑り出して第１部材を手前方向へ回動させる際にその回動を防止するように第２部材が棚に当たるので第１部材によって効果的に荷物の滑り出しを防止することができる。
【図面の簡単な説明】
【００３０】
【図１】本発明の落下防止装置を棚へ取り付けた様子の説明図である。
【図２】張力調整部として、（Ａ）ＤＣバックル、（Ｂ）ラチェットギヤ、（Ｃ）ラチェットバックル、（Ｄ）弾性体の説明図である。
【図３】ラチェットギヤの拡大図である。
【図４】ラチェットギヤの動作説明図である。
【図５】ベルト式ベルト保持部の説明図である。
【図６】ＤＣバックルの説明図である。
【図７】ターンバックルの説明図である。
【図８】ベルト式ベルト保持部の取り付け状態の説明図である。
【図９】角度変換式ベルト保持部の説明図である。
【図１０】回動式ベルト保持部の説明図である。
【発明を実施するための形態】
【００３１】
以下、本発明の実施形態を図面に基づいて説明する。図１はベルト式の落下防止装置が荷物を積載する棚へ取り付けられた様子を示している。落下防止装置は荷物棚の前面だけでなく荷物棚の周囲を囲むように取り付けることで背面への荷物落下防止を兼ねることもできる。壁面に接しない位置へ置かれる荷物置台における荷物の落下防止に有効である。その際、張力調整部は荷物の出し入れをする前面以外の面へ取り付けることが好適である。落下防止装置のベルトはベルト保持部によって支柱へ取り付けられる。ベルトの位置はパレットの滑り出しを防止する様にベルトがパレットへ当たる位置が好適である。
【００３２】
図２は板状のベルト保持部へ接続される張力調整部の例を示している。図２（Ａ）はＤＣバックルを張力調整部として用いた例である。ベルト保持部は板状で支柱の前面へ取付ベルトや支柱の穴へのボルト締めで取り付けられる。図２（Ａ）では、支柱に取付ベルトにより取り付けられた板状のベルト保持部で折り返された支柱間ベルトがＤＣバックルを緩めた状態でベルトの長さを調整されて支柱間ベルトの張力が所定の値にされる。
【００３３】
図２（Ｂ）は張力調整部としてラチェットギヤを用いた例である。ラチェットギヤについては後述する。図２（Ｃ）はラチェットバックルを用いた例である。ラチェットバックルはトラックの荷物などをベルトで荷台へ固定するために丈夫なベルトの間を接続してハンドルを動かすことでベルトの長さを調節する。内部にベルトの動きを片方向へ規制する機構が内蔵されておりベルトを緩めるときは解除機構を用いる。図２（Ｄ）は張力調整部として弾性体を用いた例で、所定の引張応力を生じるコイルバネなどからなる弾性体を用いた例である。
【００３４】
図３はラチェットギヤの詳細図である。ラチェットギヤはベルト保持部６へ鉛直軸の回りに回転可能な状態で取り付けられる。ベルト保持部６は取付けベルト７により支柱５へ取り付けられる。ラチェットギヤ１１はベルト取付け部６にラチェット歯車１１０を有するベルトを巻き取る円筒とラチェット歯車１１０に噛み合って歯車の回転を阻止する係止部材１１２とで構成される。
【００３５】
図４（Ａ）に歯止部材１１２が支え部材１１６を支点として圧縮ばね１１４により付勢されてラチェット歯車１１０噛み合って歯車の回転を阻止している状態を示す。図４（Ｂ）は外部から力Ｐが加えられてラチェット歯車と噛み合っていた歯止部材１１２が外れて歯車１１０の回転が自由になった状態を示す。
【００３６】
図５はベルト式のベルト保持部を構成する場合の説明図である。支柱の背面に張力調整部１５を有するベルト式ベルト保持部２１が支柱の周囲を一巡する取付ベルトで構成されて支柱５の周囲へ巻き付けて取り付けられる。支柱間ベルトは２３，２４はベルト保持部で折り返され前面支柱間ベルトと後面支柱間ベルトの２重ベルトになる。後面支柱間ベルトへ取り付けられる張力調整部１５はベルト式のベルト保持部材２１へ張力を与えて支柱５へ固定される。
【００３７】
ベルト式のベルト保持部は左右にベルト接続部２０，２０を有している。ベルト接続部はそれぞれ支柱の間に張られた支柱間ベルト２３，２４に接続される。支柱の間に張られた支柱間ベルト２３，２４はベルト接続部２０で折り返し前面ベルト及び後面ベルトの二重ベルトになっている。そして、それぞれ後面ベルトには張力調整部１５が取り付けられて支柱間に張られたベルト２３，２４の張力を調整する。
【００３８】
張力調整部として簡便に使える部材として図６に示すＤＣバックルがある。ＤＣバックル３０はベルトに接続された本体３０とベルトに歯を喰い込ませて固定する回動可能な係止レバー３１で構成される。図６（Ａ）にあるように係止レバー３１を持ち上げて歯と本体の隙間へベルトを通し図６（Ｂ）に示すように係止レバー３１を下げると歯がベルトへ喰い込んでベルトをＤＣバックル３０へ固定する。そこで、係止レバー３１を上げた状態でベルトに張力を与えた状態で係止レバー３１を下げてベルトの長さを固定する。
【００３９】
図７に示すのはターンバックル４０で両端のネジ４１，４２が互いに逆ねじになっており一方向へ回すと両端の間隔が短くなり、他方向へ回すと両端の間隔が長くなるので２本のベルトの間へ装着して回すことで２本のベルトの張力を調整することができる。
【００４０】
図８はベルト式ベルト保持部１６を用いて支柱間のベルトを張る場合の説明図である。図５で説明したように支柱５の回りにベルト式ベルト保持部のベルトを回し張力調整部１５で張力を与えてベルト式ベルト保持部を支柱５へ固定する。
【００４１】
ベルト式のベルト保持部には左右にベルト接続部２０、２０が取り付けられるのでここへ支柱間に張られるベルトを接続してベルトを保持する。支柱間のベルトは前面支柱間ベルト１７，１９、後面支柱間ベルト１８，２５の二重ベルトになっている。そしてそれぞれの後面支柱間ベルト１８，２５には張力調整部１５，１５が取り付けられて支柱間に張られるベルトの張力を調整する。
【００４２】
図９では水平方向に張られた支柱間ベルトを鉛直方向へ変換して張力調整部へ接続する実施例を説明する。角度変換式のベルト保持部９０は水平に張られた左側の支柱間ベルト保持するベルト接続部９３が設けられている。また、右側の支柱間ベルト９６は角度変換をするベルト接続部９１を通って水平方向から鉛直方向へ支柱間ベルトの延伸方向が変換される。鉛直方向へ延びた支柱間ベルトは張力調整部９２に接続される。ここでは張力調整部９２としてラチェットバックル９２が用いられているが他の張力調整部でもよい。ベルト保持部９０は支柱５の前面に取り付けられるので操作が容易であるとともに通常のバレットの出し入れの際にパレットと当たって損傷することが無くなる。
【００４３】
図１０に示す回動式のベルト保持部を有する落下防止装置の説明をする。図１０の回動軸４の上方に位置するのが第1部材、下方に位置するのが第２部材である。荷物を棚から降ろすときは、フォークリフトで一度荷物を持ち上げて手前に引き出す。ところが、棚へ荷物を積み上げられた荷物の高さが棚の天井近くなっている場合があるので、そういう場合は荷物をベルトの端部の高さを超えて持ち上げることで荷物を手前に引き出すことが難しくなる。この問題を解決するには荷物の引き出しの際にはベルトの端部を棚の上面に平行に沿わせて荷物を降ろす妨げにならないように回動部材を略水平に保持する水平保持の仕組みが必要になる。
【００４４】
荷物の滑り出しによる落下を防止するには、荷物が滑り出しで棚の手前方向へ移動して第１部材に当たることによる回動を阻止する必要がある。図１０のように落下防止装置を棚へ取り付けた状態で第２部材の下の端部を棚側へ曲げて棚に接触させることで回動部材の上端の手前方向への回動を阻止することができる。
【００４５】
また、回動を防止するために第２部材へ付着する回動防止部材として弾性体を用いることで荷物の滑り出しによる落下防止装置への衝撃を和らげることもできる。また荷物の滑り出し時の衝撃吸収には第１部材へ衝撃吸収用の弾性体を設けても良い。
【００４６】
上記に説明した実施例は本願発明の一部であって本願発明の技術思想を含む実施の態様は本願発明の技術思想に含まれる。
【符号の説明】
【００４７】
１  支柱間ベルト
２  回動式ベルト接続部
４  回動軸
５  支柱
６  ベルト保持部
７  取付ベルト
１０  ＤＣバックル式ベルト保持部
１１  ラチェット歯車式ベルト保持部
１５  張力調整部
１７、１９  前面支柱間ベルト
１８、２５  後面支柱間ベルト
２０  支柱間ベルト接続部
２１  取付ベルト
３０  ＤＣバックル本体
３１  ＤＣバックルレバー
４０  ターンバックル
４１、４２  取り付け部
９０  角度変換式のベルト取付部
９１  支柱間ベルト接続部
９２  張力調整部
９４１  取付ベルト
１１０  歯車
１１２  歯止部材
１１４  圧縮ばね
１１６  支点
１２  ラチェットハンドル式ベルト保持部
１３  弾性材式ベルト保持部
１０  落下防止装置
１２  ベルト保持部
１４  第１部材
１５  第２部材
１７  回動軸支持部
２０  引き抜き防止部
２１、２２  水平保持部材
５５  回動防止部材
８１  取り付け用長孔
９１  敷板
９２  ラチェットハンドル
【図１】
2019189432.tif 000003
【図２】
2019189432.tif 000004
【図３】
2019189432.tif 000005
【図４】
2019189432.tif 000006
【図５】
2019189432.tif 000007
【図６】
2019189432.tif 000008
【図７】
2019189432.tif 000009
【図８】
2019189432.tif 000010
【図９】
2019189432.tif 000011
【図１０】
2019189432.tif 000012